(57)【要約】【課題】本発明は、より高い安全性を実現する室外機を備えた空気調和機を提供することを課題とする。【解決手段】本発明の空気調和機は、室内熱交換器を内包する室内機と、圧縮機、室外熱交換器、及び、膨張弁を、筐体内に内包する室外機と、を備え、筐体は、前面板、側面板、背面板、及び、筐体の角部に位置するコーナー部により構成され、コーナー部の背面板側は筐体の内側方向に曲げられた曲げ部を有し、曲げ部端部の接線と背面板とのなす角が９０度より大きく構成される。本発明によれば、空気調和機の室外機を構成する板金部品の端部に作業者の指先が接触することを回避して、より高い安全性を実現する室外機を備えた空気調和機を提供することができる。【選択図】図４
2014081148.tif 000002
【特許請求の範囲】
【請求項１】
室内熱交換器を内包する室内機と、
圧縮機、室外熱交換器、及び、膨張弁を、筐体内に内包する室外機と、を備え、
前記筐体は、前面板、側面板、背面板、及び、前記筐体の角部に位置するコーナー部、により構成され、
前記コーナー部の前記背面板側は前記筐体の内側方向に曲げられた曲げ部を有し、
前記曲げ部端部の接線と前記背面板とのなす角が９０度より大きく構成される空気調和機。
【請求項２】
請求項１において、前記曲げ部は折り曲げ部により構成される空気調和機。
【請求項３】
請求項２において、前記曲げ部はそれぞれ鈍角である複数の折り曲げ部により構成される空気調和機。
【請求項４】
請求項１乃至３の何れかにおいて、前記曲げ部は、左右何れか一方の前記側面板と前記背面板との間に配置された前記コーナー部に配置され、
前記曲げ部端部は、前記曲げ部端部と最も反対側に位置する折り曲げ部よりも、他方の前記側面板側に位置する空気調和機。
【請求項５】
請求項１において、前記曲げ部全体が曲面で構成される空気調和機。
【発明の詳細な説明】
【技術分野】
【０００１】
本発明は空気調和機に関する。
【背景技術】
【０００２】
特許文献１は、熱交換器室の支柱部と熱交換器との間で空気の流れを変えて異音が生じないようにした空気調和機の室外機を開示する。
【先行技術文献】
【特許文献】
【０００３】
【特許文献１】特開２０１１−１９６６６５号公報
【発明の概要】
【発明が解決しようとする課題】
【０００４】
特許文献１の支柱部では、折り返し部の先端がフィンに向かう。そのため、据付時やサービス時に作業者がコーナー部を素手でつかんだ場合に、作業者の指先が折り返し部の先端と接触する可能性がある。本発明は、より高い安全性を実現する室外機を備えた空気調和機を提供することを課題とする。
【課題を解決するための手段】
【０００５】
本発明の空気調和機は、室内熱交換器を内包する室内機と、圧縮機、室外熱交換器、及び、膨張弁を、筐体内に内包する室外機と、を備え、筐体は、前面板、側面板、背面板、及び、筐体の角部に位置するコーナー部により構成され、コーナー部の背面板側は筐体の内側方向に曲げられた曲げ部を有し、曲げ部端部の接線と背面板とのなす角が９０度より大きく構成される。
【発明の効果】
【０００６】
本発明によれば、空気調和機の室外機を構成する板金部品の端部に作業者の指先が接触することを回避して、より高い安全性を実現する室外機を備えた空気調和機を提供することができる。
【図面の簡単な説明】
【０００７】
【図１】空気調和機を示す図。
【図２】空気調和機室外機の断面図
【図３】側面板のコーナー部の断面図
【図４】側面板の折り曲げ部の断面図の詳細
【図５】材料の構成
【図６】側面板のコーナー部の断面図（手で掴んだ場合）
【図７】従来のコーナー部の断面図（手で掴んだ場合）
【発明を実施するための形態】
【０００８】
本実施例の空気調和機は、室内熱交換器を内包する室内機と、圧縮機、室外熱交換器、及び、膨張弁を、筐体内に内包する室外機と、を備え、筐体は、前面板、側面板、背面板、及び、筐体の角部に位置するコーナー部により構成され、コーナー部の背面側の端部は筐体の内側方向に曲げられた曲げ部を有し、筐体の背面板と曲げ部端部の接線とのなす角が９０度より大きく構成される。本実施例によれば、筐体の背面板と曲げ部端部の接線とのなす角が９０度より大きく構成されるので、空気調和機の室外機を構成する板金部品の端部に作業者の指先が接触することを回避することができる。
【０００９】
以下、本発明の実施例について図面を用いて説明する。図１は空気調和機を示す図である。空気調和機は、室内に配置され冷暖房を行う室内機と、ユーザが室内機の運転を行うために操作するリモコンと、室外に配置され室内機から循環された冷媒が外気と熱交換を行う室外機とを備える。空気調和機を構成する室内機と室外機とは、通常、内部に冷媒が流れる冷媒配管（図示せず）によって接続される。
【００１０】
図２は、空気調和機室外機の断面図を示す。室外機は、圧縮機、室外熱交換器及び膨張弁を筐体内に内包する。また、筐体は、前面側に配置された前面板、左右両側面に配置された側面板、背面側に配置された背面板、及び、筐体の角部にそれぞれ配置された（前面板又は背面板と左右両側面板との間に配置された）コーナー部、及び、これら前面板、側面板、背面板、並びに、コーナー部を上下方向に挟み込む底板及び天板から構成される。
【００１１】
図２に示すように、室外機１は、仕切り板と電装品箱とリード線支持部品とにより、熱交換器室と機械室とを区分(分割)する。熱交換器室には、冷媒配管を循環する冷媒の外気との熱交換を促進するプロペラファンと、このプロペラファンの駆動用モータ、プロペラファンを回転自在に支持するプロペラファン支柱（送風機）、及び、外気と循環する冷媒が熱交換する熱交換器が配設される。
【００１２】
機械室には、循環する冷媒を高温高圧のガス冷媒にする圧縮機、常温・高圧の液状冷媒を低温・低圧の液状冷媒にする電動膨張弁(図示せず)、電気部品のリアクタ(図示せず)、及び、冷媒が流れる冷媒配管の伝熱管(図示せず)が配設される。電装品箱には室外機を制御する電装品が収納される。電装品箱の上部には電装品蓋が被せられる。
【００１３】
熱交換器は、室外熱交換器筐体の背面長手方向に沿って配置される。また、熱交換器は、室外熱交換器筐体の角部に位置するコーナー部付近で側面方向に曲げられて、略Ｌ字形状を形成する。尚、熱交換器を、室外熱交換器筐体背面側の角部に位置する２箇所のコーナー部付近で左右両側面方向に曲げて、略Ｕ字形状に形成してもよい。また、筐体角部（コーナー部）付近で折り曲げず、筐体背面長手方向に沿って配置された平板状の熱交換器を用いてもよい。本実施例においては、コーナー部付近で側面方向に曲げられた略Ｌ字形状の熱交換器を用いる。
【００１４】
熱交換器の吸込み側には吸込口が設けられる。熱交換器の吸込口には、床板と天板との間にコーナー部を有する側面板が設けられる。側面板のコーナー部以外の側面部には通風用の開口部が複数設けられる。側面板のコーナー部にも通風用の開口部を設けてもよい。また、側面板をコーナー部のみで構成してもよい。以下では、側面部を持つ側面板について説明する。
【００１５】
室外機の据付や移動を行う場合に、作業者が側面板のコーナー部を手でつかむ場合がある。その場合、手の指はコーナー部と熱交換器との隙間に位置する。折り曲げ部が無い場合、手の指は側面板の端部に触れる可能性がある。また、折り曲げ部が直線で形成される場合、手の指が側面板の端面を掴む可能性がある。
【００１６】
コーナー部の背面側には、端部が内側に曲げられる（折り曲げられる）ことにより構成される曲げ部（折り曲げ部）が設けられる。この折り曲げ部の接線と、熱交換器の背面側の直線部とが成す角は90度以上で構成される（曲げ部の端部の接線と背面板とのなす角が９０度より大きく構成される）。このように構成することにより、コーナー部を手で掴んだ場合でも、側面板の端面に手が触れることが無く、安全性を更に高めることができる。
【００１７】
側面板の材料の塗装方法としては、母材を所望の形状に成型及び加工した後に電着塗装や粉体塗装により塗装する方法と、予め塗装した母材を所望の形状に成型及び加工する方法がある。前者の場合、側面板の端面も塗料で被膜されるため、より安全性を高めることができる。本実施例においては、予め塗装した母材を所望の形状に成型及び加工する方法を用いる場合について説明する。
【００１８】
本実施例の折り曲げ部は、鈍角の折り曲げ開始部10（筐体内側に折り曲げられる最初の折り曲げ部）及び鈍角の角部8と、これら折り曲げ開始部10及び鈍角の角部8を接続する直線部で構成される。角部の数は１つでもよいが、それぞれ鈍角で構成された複数の角部で構成することにより、コーナー部先端が作業者の指先と接触することを回避されることに加えて、鋭角の角部が作業者の指先と接触することを回避できるので、より安全性の高い室外機を提供することができる。また、角部を鈍角で構成することにより、角部を形成する金型の工程において、角部を鋭角で成形する場合と比較して成形が容易となる。これは、プレス機が一方向でピストンするため、鋭角の角部を作成するにはまず角の内側を押さえの金型で押さえたうえでその金型と干渉しない範囲内である90度以下に曲げ、それ以降の工程で必要とする角度まで追加で曲げるという複数の工程を要することによる。また、角部の形成においては、外側の塗装は引っ張られ、内側の塗装は圧縮されることにより、塗装の剥がれが生じる可能性がある。角部が鋭角であるほど角部の塗装が引っ張られ又は圧縮される程度は大きく、塗装の剥がれる程度も大きくなり、剥がれた塗装に触れることによる危険性も大きくなる。すなわち、鈍角であるほど塗装の剥がれの程度は小さくなり、剥がれた塗装に触れる可能性も低減することが可能となる。さらに、複数の角部を持つことによりコーナー部先端をより作業者の手からより遠ざけることが可能となる。
【００１９】
尚、曲げ部の端部は、曲げ部の折り曲げ開始部（曲げ部端部と最も反対側に位置する折り曲げ部であって、コーナー部から曲げ部に向かって最初の折り曲げ部）より外側に位置する。つまり、曲げ部は少なくとも左右何れか一方の側面板（本実施例では左側面板）と背面板との間に配置されたコーナー部に配置され、曲げ部端部は曲げ部の折り曲げ開始部（曲げ部端部と最も反対側に位置する折り曲げ部）よりも他方の側面板（本実施例では右側面板）側に位置する。曲げ部の端部（コーナー部先端）がより長く内側へ延びているなど、曲げ部の端部（コーナー部先端）が曲げ部の折り曲げ開始部より内側に位置する場合、曲げ部の角部を鋭角とする場合と同様に、曲げ部の作成にさらに複数の工程が必要となる。まず曲げ部の折り曲げ開始部より外側に側面板の端部が位置するように折り曲げることにより、折り曲げ部より内側には曲げに対する押さえの金型を設けることができる。
【００２０】
本実施例においては、折り曲げ部が鈍角の角を持つ例を説明したが、折り曲げ部を曲面で構成してもよい。折り曲げ部が角部を持つ場合、角部の形成過程で外側は引っ張られ、内側は圧縮されることによる塗装の剥がれが生じる危険性がある。また、曲げ部全体を曲面で構成することにより、コーナー部先端が作業者の指先と接触することを回避されることに加えて、折り曲げ部自体（特に鋭角に形成された折り曲げ部）が作業者の指先に接触する可能性を排除して、より安全性の高い室外機を提供することができる。
【符号の説明】
【００２１】
1：室内機、2：室外機、3：リモコン、4：熱交換器、5：側面板、6：コーナー部、7：折り曲げ部、8：角部、9：端面、10：折り曲げ開始部、11：母材、12：塗料、13：熱交換器の直線部との平行線と折り曲げ部の端部の接線とがなす角、14：直線部
【図１】
2014081148.tif 000003
【図２】
2014081148.tif 000004
【図３】
2014081148.tif 000005
【図４】
2014081148.tif 000006
【図５】
2014081148.tif 000007
【図６】
2014081148.tif 000008
【図７】
2014081148.tif 000009